(57)【特許請求の範囲】
【請求項１】
無線通信システムのためのユーザデバイスであって、
無線通信ネットワークの所定の複数のネットワークノードおよび前記無線通信ネットワークの所定の共通データチャネルに対して前記ユーザデバイスにユニークに割り当てられた無線ネットワーク一時識別子(RNTI)を前記無線通信ネットワークから受信し、
前記割り当てられたRNTIを使用して前記共通データチャネル上で前記無線通信ネットワークにデータを送信し、または、前記無線通信ネットワークからデータを受信する
ように構成された送受信機を備えるユーザデバイス。
【請求項２】
前記送受信機が、
前記共通データチャネルの特定の時間周波数無線資源を示す無線資源メッセージを前記無線通信ネットワークから受信し、
前記示された特定の時間周波数無線資源上で、前記無線通信ネットワークにデータを送信し、または、前記無線通信ネットワークからデータを受信する
ようにさらに構成された、請求項1に記載のユーザデバイス。
【請求項３】
前記送受信機が、
要求された無線資源を示す無線資源要求メッセージを前記無線通信ネットワークに送信し、
前記無線資源要求メッセージを送信したことに応答して、前記無線資源メッセージを前記無線通信ネットワークから受信する
ようにさらに構成された、請求項2に記載のユーザデバイス。
【請求項４】
前記共通データチャネルが、専用のスケジューリングされない共通データチャネルである、請求項1から3のいずれか一項に記載のユーザデバイス。
【請求項５】
前記送受信機が、
送信モードメッセージを前記無線通信ネットワークに送信するようにさらに構成され、前記送信モードメッセージが、前記ユーザデバイスが前記割り当てられたRNTIを使用して前記共通データチャネル上で前記無線通信ネットワークにデータを送信し、または、前記無線通信ネットワークからデータを受信することを要求することを示す、請求項1から4のいずれか一項に記載のユーザデバイス。
【請求項６】
前記ユーザデバイスが専用バッファをさらに備え、前記送受信機が、
前記割り当てられたRNTIを使用して前記共通データチャネル上で送信する前にデータを記憶するために前記専用バッファを使用するようにさらに構成された、請求項1から5のいずれか一項に記載のユーザデバイス。
【請求項７】
前記送受信機が、
前記無線通信ネットワークからRNTI制御メッセージを受信するようにさらに構成され、前記受信されたRNTI制御メッセージが、前記割り当てられたRNTIを維持管理し、前記割り当てられたRNTIを更新し、および、前記割り当てられたRNTIを解放することを含む群の中の1つまたは複数の命令を示し、
前記送受信機が、前記受信されたRNTI制御メッセージ内の指示に従って、前記割り当てられたRNTIを維持管理し、更新し、または、解放するようにさらに構成された、請求項1から6のいずれか一項に記載のユーザデバイス。
【請求項８】
前記送受信機が、
前記無線通信ネットワークに接続されているとき、前記無線通信ネットワークにデータを送信し、または、前記無線通信ネットワークからデータを受信し、
前記無線通信ネットワークへの前記接続を解放し、
前記無線通信ネットワークにもはや接続されていないとき、前記割り当てられたRNTIを使用して前記共通データチャネル上で前記無線通信ネットワークにデータを送信し、または、前記無線通信ネットワークからデータを受信する
ようにさらに構成された、請求項1から7のいずれか一項に記載のユーザデバイス。
【請求項９】
無線通信システムのためのネットワークノードであって、送受信機およびプロセッサを備え、前記プロセッサが、
無線通信ネットワークの所定の複数のネットワークノードおよび前記無線通信ネットワークの所定の共通データチャネルに対して無線ネットワーク一時識別子(RNTI)をユーザデバイスにユニークに割り当てるように構成され、前記送受信機が、
前記割り当てられたRNTIを前記ユーザデバイスに送信し、
前記ユーザデバイスを識別するために前記割り当てられたRNTIを使用して前記共通データチャネル上で前記ユーザデバイスにデータを送信し、または、前記ユーザデバイスからデータを受信するように構成されたネットワークノード。
【請求項１０】
前記送受信機が、
前記ユーザデバイスによって使用される前記共通データチャネルの特定の時間周波数無線資源を示す無線資源メッセージを前記ユーザデバイスに送信するようにさらに構成された、請求項9に記載のネットワークノード。
【請求項１１】
前記送受信機が、
前記ユーザデバイスによって要求された無線資源を示す無線資源要求メッセージの前記ユーザデバイスからの受信に応答して、前記無線資源メッセージを前記ユーザデバイスに送信するようにさらに構成された、請求項10に記載のネットワークノード。
【請求項１２】
前記送受信機が、
半永続的なスケジューリング許可を介して前記無線資源メッセージを前記ユーザデバイスに送信するようにさらに構成された、請求項10または11に記載のネットワークノード。
【請求項１３】
前記送受信機が、
前記無線通信ネットワークの共通RNTIを用いてスクランブルされた分散アップリンク許可CRCパリティビットを使用することによって前記無線資源メッセージを送信するようにさらに構成された、請求項10から12のいずれか一項に記載のネットワークノード。
【請求項１４】
前記送受信機が、
前記割り当てられたRNTIを維持管理し、前記割り当てられたRNTIを更新し、および、前記割り当てられたRNTIを解放することを含む群の中の1つまたは複数の命令を示すRNTI制御メッセージを前記ユーザデバイスに送信するようにさらに構成された、請求項9から13のいずれか一項に記載のネットワークノード。
【請求項１５】
前記送受信機が、
前記ユーザデバイスが前記ネットワークノードに接続されているとき、前記ユーザデバイスにデータを送信し、または、前記ユーザデバイスからデータを受信し、
前記ユーザデバイスのために前記割り当てられたRNTIを維持管理しつつ、前記ユーザデバイスへの前記接続を解放し、
前記ユーザデバイスへの前記接続を解放した後で、前記割り当てられたRNTIを使用して前記共通データチャネル上で前記ユーザデバイスにデータを送信し、または、前記ユーザデバイスからデータを受信する
ようにさらに構成された、請求項9から14のいずれか一項に記載のネットワークノード。
【請求項１６】
無線通信システムのためのユーザデバイスにおける方法であって、
無線通信ネットワークの所定の複数のネットワークノードおよび前記無線通信ネットワークの所定の共通データチャネルに対して前記ユーザデバイスにユニークに割り当てられた無線ネットワーク一時識別子(RNTI)を前記無線通信ネットワークから受信するステップと、
前記割り当てられたRNTIを使用して前記共通データチャネル上で前記無線通信ネットワークにデータを送信し、または、前記無線通信ネットワークからデータを受信するステップと、
を含む方法。
【請求項１７】
無線通信システムのためのネットワークノードにおける方法であって、
無線通信ネットワークの所定の複数のネットワークノードおよび前記無線通信ネットワークの所定の共通データチャネルに対して無線ネットワーク一時識別子(RNTI)をユーザデバイスにユニークに割り当てるステップと、
前記ユーザデバイスを識別するために、前記割り当てられたRNTIを使用して前記共通データチャネル上で前記ユーザデバイスにデータを送信し、または、前記ユーザデバイスからデータを受信するステップと、
を含む方法。
【請求項１８】
コンピュータプログラムがコンピュータ上で走るとき、請求項16または17に記載の方法を行うためのプログラムコードを有するコンピュータプログラム。
【発明の詳細な説明】
【技術分野】
【０００１】
本発明は、無線通信システムのためのユーザデバイスおよびネットワークノードに関する。さらに、本発明はまた、対応する方法、コンピュータプログラム、およびコンピュータプログラム製品に関する。
【背景技術】
【０００２】
進化型パケットシステム(EPS)またはロングタームエボリューション(LTE)において、モビリティおよびセッション開始機構は、トンネルの設定および再ルーティング、認証、認可、およびアカウンティング(AAA)のための遅延、ユーザ機器(UE)コンテキストフェッチなどが原因で、単一データパケットには非効率である。
【０００３】
ネットワークトラフィックはまた、多くのアプリケーションが小さなデータパケットを長い時間間隔をおいて送信する状況において、ますます多様化しつつある。現在の接続指向の解決策は、通信ネットワーク内のシグナリング、および、無線ネットワークに接続されたユーザデバイスのためのエネルギー消費における急速な増加をもたらすそのようなトラフィックのためには設計されていない。
【発明の概要】
【課題を解決するための手段】
【０００４】
本発明の実施例の一目的は、従来型の解決策の欠点および課題を軽減または解決する解決策を提供することである。
【０００５】
本発明の別の目的は、無線通信システムのための改善された競合ベースのデータ送信を提供することである。
【０００６】
上記および他の目的は、独立請求項の内容によって解決される。さらに有益な実装形態が、独立請求項において見出すことができる。
【０００７】
本発明の第1の態様によれば、上述したおよび他の目的は、無線通信システムのためのユーザデバイスを用いて達成され、そのユーザデバイスは、
無線通信ネットワークの複数のネットワークノードに対して有効であり、無線通信ネットワークの共通データチャネルに関連付けられた、割り当てられた無線ネットワーク一時識別子(RNTI)を無線通信ネットワークから受信し、
割り当てられたRNTIを使用して、共通データチャネル上で無線通信ネットワークにデータを送信し、または、無線通信ネットワークからデータを受信するように構成された送受信機を備える。
【０００８】
第1の態様のユーザデバイスによれば、複数のネットワークノードに対して有効であり、共通データチャネルに関連付けられた、割り当てられたRNTIを使用することにより、ユーザデバイスに対する競合ベースの送信が可能である。これは、不規則な時間間隔で小さなデータパケットを送信するアプリケーションのために特に有益である。
【０００９】
この開示における共通データチャネルは、特定のユーザデバイスに専用ではなく、2つ以上のユーザデバイスによって使用され得る共有データチャネルを意味する。
【００１０】
複数のネットワークノードは、LTEのようなセルラー通信システムにおいて対応するセルに関連付けられ得る。しかし、ネットワークノードとセルとの間の1対1のマッピングは、これが可能であっても必要でない。
【００１１】
さらに、この開示および対応する請求項における「または」は、「および」と「または」を含む数学上のORと理解すべきであり、XOR(排他的OR)と理解すべきではない。
【００１２】
そのようなものとしての第1の態様によるユーザデバイスの第1の可能な実装形態において、送受信機は、
無線通信ネットワークから、共通データチャネルの特定の時間周波数無線資源を示す無線資源メッセージを受信し、
その示された特定の時間周波数無線資源上で、無線通信ネットワークにデータを送信し、または、無線通信ネットワークからデータを受信するようにさらに構成される。
【００１３】
第1の態様の第1の実装形態は、ユーザデバイスが、共通データチャネルのどの無線資源を使用するかを正確に知っているという利点を有する。
【００１４】
第1の態様の第1の実装形態によるユーザデバイスの第2の可能な実装形態において、送受信機は、
要求された無線資源を示す無線資源要求メッセージを無線通信ネットワークに送信し、
無線資源要求メッセージを送信したことに応答して、無線資源メッセージを無線通信ネットワークから受信するようにさらに構成される。
【００１５】
第1の態様の第2の実装形態は、ユーザデバイスは、共通データチャネルを用いて競合ベースの送信のために必要な無線通信ネットワークの無線資源にシグナリングすることができるという利点を有する。
【００１６】
第1の態様の実装形態のいずれか、または、そのようなものとしての第1の態様によるユーザデバイスの第3の可能な実装形態において、共通データチャネルは、専用のスケジューリングされない共通データチャネルである。
【００１７】
第1の態様の第3の実装形態は、ユーザデバイスが共通データチャネルを自由に使用でき、その共通データチャネルをいつ使用するか決定することができるという利点を有する。さらに、それはネットワーク側からのスケジューリングは必要とされないという利点を有する。
【００１８】
第1の態様の実装形態のいずれか、または、そのようなものとしての第1の態様によるユーザデバイスの第4の可能な実装形態において、送受信機は、
送信モードメッセージを無線通信ネットワークに送信するようにさらに構成され、送信モードメッセージは、ユーザデバイスが、割り当てられたRNTIを使用して共通データチャネル上で無線通信ネットワークにデータを送信し、または、無線通信ネットワークからデータを受信することを要求することを示す。
【００１９】
第1の態様の第4の実装形態は、ユーザデバイスが、割り当てられたRNTIを使用して、たとえばエネルギーを節約するために、共通データチャネル上で送信することを選ぶことを制御することができる、または、少なくとも示すことができるという利点を有する。
【００２０】
第1の態様の実装形態のいずれか、または、そのようなものとしての第1の態様によるユーザデバイスの第5の可能な実装形態において、ユーザデバイスは専用バッファをさらに備え、送受信機が、
割り当てられたRNTIを使用して共通データチャネル上での送信の前にデータを記憶するための専用バッファを使用するようにさらに構成される。
【００２１】
第1の態様の第5の実装形態は、非時間/エラー重要データが、異なるバッファ内の時間/エラー重要データから分離することができ、非時間/エラー重要データが、割り当てられたRNTIを用いて競合ベースの送信のために共通データチャネルを使用することができることを有する。それにより、スケジューリング要求およびバッファステータス更新はまた、専用バッファの使用によって省略することができる。
【００２２】
第1の態様の実装形態のいずれか、または、そのようなものとしての第1の態様によるユーザデバイスの第6の可能な実装形態において、送受信機は、
無線通信ネットワークからRNTI制御メッセージを受信するようにさらに構成され、受信されたRNTI制御メッセージが、割り当てられたRNTIを維持管理し、割り当てられたRNTIを更新し、および、割り当てられたRNTIを解放することを含む群の中の1つまたは複数の命令を示し、
送受信機は、受信されたRNTI制御メッセージ内の指示に従って、割り当てられたRNTIを維持管理し、更新し、または、解放するようにさらに構成される。
【００２３】
第1の態様の第6の実装形態は、RNTI制御メッセージを使用することによって、ネットワークノードが、割り当てられたRNTIに対してより良い制御を有することができるという利点を有する。
【００２４】
第1の態様の実装形態のいずれか、または、そのようなものとしての第1の態様によるユーザデバイスの第7の可能な実装形態において、送受信機は、
無線通信ネットワークに(たとえば、無線通信ネットワークの1つまたは複数のネットワークノードに)接続されているとき、無線通信ネットワークにデータを送信し、または、無線通信ネットワークからデータを受信し、
無線通信ネットワークへの接続を解放し、
無線通信ネットワークにもはや接続されていないとき、割り当てられたRNTIを使用して、共通データチャネル上で無線通信ネットワークにデータを送信し、または、無線通信ネットワークからデータを受信するようにさらに構成される。
【００２５】
ユーザデバイスが、無線通信ネットワークに接続されているとき、それは典型的には、無線通信ネットワークのネットワークノードと通信するためのユーザデバイスによって使用され得る、割り当てられた資源を有する。接続モードは、ユーザデバイスへの、または、ユーザデバイスからのユニキャストデータ転送/送信が可能である唯一のモードである。接続の解放後には、これらの資源は、もはやユーザデバイスに割り当てられず、したがって、ユーザデバイスは、これらの資源をもはや使用することができない。しかし、ユーザデバイスと無線通信ネットワークとの間の接続の解放後であっても、割り当てられたRNTIを維持管理することにより、ユーザデバイスと無線通信ネットワーク(のネットワークノード)との間の(競合ベースの)通信は、RNTIおよび共通データチャネルを使用して依然として可能であるということが達成され得る。
【００２６】
第1の態様の第7の実装形態は、ユーザデバイスが、接続を生成し、データ送信のために必要な識別情報(RNTI)を入手し、割り当てられたRNTIを用いて非接続モードにおいて共通データチャネルを利用することを可能にする。それにより、接続モードでの送信はより多くの電力を消費するので、たとえば、エネルギーの節約が可能となる。さらに、この実装形態を用いて、ユーザデバイスとネットワークノードとの間の接続(RRC接続のような)の解放後であっても、ユーザデバイスは依然として、競合ベースの方式で(割り当てられたRNTIを使用して)無線通信ネットワークと通信することができる。
【００２７】
本発明の第2の態様によれば、上述したおよび他の目的は、無線通信システムのためのネットワークノードを用いて達成され、このネットワークノードは送受信機およびプロセッサを備え、このプロセッサは、
無線通信ネットワークの複数のネットワークノードに対して有効であり、無線通信ネットワークの共通データチャネルに関連付けられた無線ネットワーク一時識別子(RNTI)をユーザデバイスに割り当てるように構成され、送受信機が、
割り当てられたRNTIをユーザデバイスに送信し、
ユーザデバイスを識別するために割り当てられたRNTIを使用して共通データチャネル上でユーザデバイスにデータを送信し、または、ユーザデバイスからデータを受信するように構成される。
【００２８】
第2の態様のネットワークノードによれば、複数のネットワークノードに対して有効であり、共通データチャネルに関連付けられたRNTIを割り当て、その割り当てられたRNTIをユーザデバイスに送信することにより、競合ベースの送信がユーザデバイスのために可能となる。これは特にユーザデバイスのアプリケーションが不規則な時間間隔で小さなデータパケットを送信するための利点である。したがって、ユーザデバイスへの永続的な接続はもはや必要とされない。
【００２９】
そのようなものとしての第2の態様によるネットワークノードの第1の可能な実装形態において、送受信機は、
ユーザデバイスによって使用される共通データチャネルの特定の時間周波数無線資源を示す無線資源メッセージをユーザデバイスに送信するようにさらに構成される。
【００３０】
第2の態様の第1の可能な実装形態は、ユーザデバイスが、共通データチャネルのどの無線資源を使用するかを正確に知っているという利点を有する。さらに、ネットワークノードは、異なるユーザデバイスのために無線資源をスケジューリングすることができる。
【００３１】
第2の態様の実装形態のいずれかまたはそのようなものとしての第2の態様による、ネットワークノードの第2の可能な実装形態において、送受信機は、
ユーザデバイスによって要求された無線資源を示す無線資源要求メッセージのユーザデバイスからの受信に応答して、無線資源メッセージをユーザデバイスに送信するようにさらに構成される。
【００３２】
第2の態様の第2の可能な実装形態は、ユーザデバイスが競合ベースの送信のために必要な無線資源をシグナリングすることができ、ネットワークノードが無線資源をスケジューリングするためにこの情報を使用することができるという利点を有する。
【００３３】
第2の態様の第1または第2の実装形態によるネットワークノードの第3の可能な実装形態において、送受信機は、
半永続的なスケジューリング許可を介して無線資源メッセージをユーザデバイスに送信するようにさらに構成される。
【００３４】
第2の態様の第3の可能な実装形態は、RRC接続モードにおいて資源を動的に割り振る容易なやり方を可能にする。
【００３５】
第2の態様の第1、第2、または第3の実装形態のいずれかによるネットワークノードの第4の可能な実装形態において、送受信機は、
無線通信ネットワークの共通RNTIを用いてスクランブルされた分散アップリンク許可CRCパリティビットを使用することによって、無線資源メッセージを送信するようにさらに構成される。
【００３６】
第2の態様の第4の可能な実装形態は、共通の割り当てられたRNTIを知るすべてのユーザデバイスへの共通のRNTI割り当てを可能にする。
【００３７】
第2の態様の実装形態のいずれかまたはそのようなものとしての第2の態様による、ネットワークノードの第5の可能な実装形態において、送受信機は、
割り当てられたRNTIを維持管理し、割り当てられたRNTIを更新し、および、割り当てられたRNTIを解放することを含む群の中の1つまたは複数の命令を示すRNTI制御メッセージをユーザデバイスに送信するようにさらに構成される。
【００３８】
第2の態様の第5の可能な実装形態は、ネットワークノードが、RNTI制御メッセージを使用することにより、割り当てられたRNTIに対してより良い制御を有することができるという利点を有する。
【００３９】
第2の態様の実装形態のいずれかまたはそのようなものとしての第2の態様による、ネットワークノードの第6の可能な実装形態において、送受信機は、
ユーザデバイスがネットワークノードに接続されているとき、ユーザデバイスにデータを送信し、または、ユーザデバイスからデータを受信し、
ユーザデバイスのために割り当てられたRNTIを維持管理しつつ、ユーザデバイスへの接続を解放し、
ユーザデバイスへの接続を解放した後で、割り当てられたRNTIを使用して共通データチャネル上でユーザデバイスにデータを送信し、または、ユーザデバイスからデータを受信するようにさらに構成される。
【００４０】
ユーザデバイスがネットワークノードに接続するとき、RNTIはネットワークノードからユーザデバイスに割り当てられ得る。
【００４１】
第2の態様の第6の可能な実装形態は、ユーザデバイスが、接続を生成し、データ送信のために必要な識別情報(RNTI)を入手し、割り当てられたRNTIを用いて非接続モードにおいて共通データチャネルを利用することを可能にする。それにより、接続モードでの送信は、非接続モードに比べてより多くの電力を消費するので、たとえば、エネルギーの節約が可能である。
【００４２】
本発明の第3の態様によれば、上述したおよび他の目的は、無線通信システムのためのユーザデバイスにおける方法によって達成され、その方法は、
無線通信ネットワークの複数のネットワークノードに対して有効であり、無線通信ネットワークの共通データチャネルに関連付けられた、割り当てられた無線ネットワーク一時識別子(RNTI)を無線通信ネットワークから受信するステップと、
割り当てられたRNTIを使用して、共通データチャネル上で無線通信ネットワークにデータを送信し、または、無線通信ネットワークからデータを受信するステップと、を含む。
【００４３】
そのようなものとしての第3の態様によるユーザデバイスにおける方法の第1の可能な実装形態において、その方法は、
共通データチャネルの特定の時間周波数無線資源を示す無線資源メッセージを無線通信ネットワークから受信するステップと、
その示された特定の時間周波数無線資源上で、無線通信ネットワークにデータを送信し、または、無線通信ネットワークからデータを受信するステップと、をさらに含む。
【００４４】
第3の態様の第1の実装形態によるユーザデバイスにおける方法の第2の可能な実装形態において、この方法は、
要求された無線資源を示す無線資源要求メッセージを無線通信ネットワークに送信するステップと、
無線資源要求メッセージを送信したことに応答して、無線資源メッセージを無線通信ネットワークから受信するステップと、をさらに含む。
【００４５】
第3の態様の実装形態のいずれかまたはそのようなものとしての第3の態様によるユーザデバイスにおける方法の第3の可能な実装形態において、共通データチャネルは、専用のスケジューリングされない共通データチャネルである。
【００４６】
第3の態様の実装形態のいずれかまたはそのようなものとしての第3の態様によるユーザデバイスにおける方法の第4の可能な実装形態において、この方法は、
ユーザデバイスが、割り当てられたRNTIを使用して共通データチャネル上で無線通信ネットワークにデータを送信し、または、無線通信ネットワークからデータを受信することを要求することを示す送信モードメッセージを無線通信ネットワークに送信するステップをさらに含む。
【００４７】
第3の態様の実装形態のいずれかまたはそのようなものとしての第3の態様によるユーザデバイスにおける方法の第5の可能な実装形態において、ユーザデバイスが専用バッファをさらに備え、その方法が、
割り当てられたRNTIを使用して共通データチャネル上で送信する前に、データを記憶するためにその専用バッファを使用するステップをさらに含む。
【００４８】
第3の態様の実装形態のいずれかまたはそのようなものとしての第3の態様によるユーザデバイスにおける方法の第6の可能な実装形態において、この方法は、
無線通信ネットワークからRNTI制御メッセージを受信するステップであって、受信されたRNTI制御メッセージが、割り当てられたRNTIを維持管理し、割り当てられたRNTIを更新し、および、割り当てられたRNTIを解放することを含む群の中の1つまたは複数の命令を示す、ステップと、
受信されたRNTI制御メッセージ内の指示に従って、割り当てられたRNTIを維持管理し、更新し、または、解放するステップと、をさらに含む。
【００４９】
第3の態様の実装形態のいずれかまたはそのようなものとしての第3の態様によるユーザデバイスにおける方法の第7の可能な実装形態において、この方法は、
無線通信ネットワークに接続されているとき、無線通信ネットワークにデータを送信し、または、無線通信ネットワークからデータを受信するステップと、
無線通信ネットワークへの接続を解放するステップと、
無線通信ネットワークにもはや接続されていないとき、割り当てられたRNTIを使用して共通データチャネル上で、無線通信ネットワークにデータを送信し、または、無線通信ネットワークからデータを受信するステップと、をさらに含む。
【００５０】
本発明の第4の態様によれば、上述したおよび他の目的は、無線通信システムのためのネットワークノードにおける方法によって達成され、その方法は、
無線通信ネットワークの複数のネットワークノードに対して有効であり、無線通信ネットワークの共通データチャネルに関連付けられた無線ネットワーク一時識別子(RNTI)をユーザデバイスに割り当てるステップと、
ユーザデバイスを識別するために、割り当てられたRNTIを使用して、共通データチャネル上でユーザデバイスにデータを送信し、または、ユーザデバイスからデータを受信するステップと、を含む。
【００５１】
そのようなものとしての第4の態様によるネットワークノードにおける方法の第1の可能な実装形態において、その方法は、
ユーザデバイスによって使用される共通データチャネルの特定の時間周波数無線資源を示す無線資源メッセージをユーザデバイスに送信するステップをさらに含む。
【００５２】
第4の態様の実装形態のいずれかによるネットワークノードにおける方法の第2の可能な実装形態において、この方法は、
ユーザデバイスによって要求された無線資源を示す無線資源要求メッセージのユーザデバイスからの受信に応答して、無線資源メッセージをユーザデバイスに送信するステップをさらに含む。
【００５３】
第4の態様の第1または第2の実装形態によるネットワークノードにおける方法の第3の可能な実装形態において、この方法は、
半永続的なスケジューリング許可を介して無線資源メッセージをユーザデバイスに送信するステップをさらに含む。
【００５４】
第4の態様の第1、第2、または第3の実装形態のいずれかによるネットワークノードにおける方法の第4の可能な実装形態において、この方法は、
無線通信ネットワークの共通RNTIを用いてスクランブルされた分散アップリンク許可CRCパリティビットを使用することによって、無線資源メッセージを送信するステップをさらに含む。
【００５５】
第4の態様の実装形態のいずれかまたはそのようなものとしての第4の態様によるネットワークノードにおける方法の第5の可能な実装形態において、この方法は、
割り当てられたRNTIを維持管理し、割り当てられたRNTIを更新し、および、割り当てられたRNTIを解放することを含む群の中の1つまたは複数の命令を示すRNTI制御メッセージをユーザデバイスに送信するステップをさらに含む。
【００５６】
第4の態様の実装形態のいずれかまたはそのようなものとしての第4の態様によるネットワークノードにおける方法の第6の可能な実装形態において、この方法は、
ユーザデバイスがネットワークノードに接続されているとき、ユーザデバイスにデータを送信し、または、ユーザデバイスからデータを受信するステップと、
ユーザデバイスのために割り当てられたRNTIを維持管理しつつ、ユーザデバイスへの接続を解放するステップと、
ユーザデバイスへの接続を解放した後で、割り当てられたRNTIを使用して共通データチャネル上で、ユーザデバイスにデータを送信し、または、ユーザデバイスからデータを受信するステップと、をさらに含む。
【００５７】
ネットワークノードにおけるおよびユーザデバイスにおける方法の利点は、対応するデバイスの請求項の利点と同じである。
【００５８】
本発明はまた、本発明による少なくとも1つのネットワークノードおよび少なくとも1つのユーザデバイスを含む無線通信システムに関することがさらに注記される。
【００５９】
さらに、無線通信システムにおける対応する方法は、ネットワークノードにおける方法、および、ユーザデバイスにおける方法を含む。
【００６０】
本発明はまた、コンピュータプログラムがコンピュータ上で走るとき、第2の態様によるいずれかの方法による方法を行うためのプログラムコードを有するコンピュータプログラムに関する。さらに、本発明はまた、前述したコンピュータプログラムをその上に記憶するコンピュータ読み取り可能な媒体を備えるコンピュータプログラム製品に関する。前記コンピュータ読み取り可能な媒体のプログラムは、ROM(読み出し専用メモリ)、PROM(プログラマブルROM)、EPROM(消去可能PROM)、フラッシュメモリ、EEPROM(電気的EPROM)、および、ハードディスクドライブのうちの1つまたは複数を備える。
【００６１】
本発明のさらなる応用および利点は、以下の詳細な説明から明らかになるであろう。
【００６２】
添付の図面は、本発明の異なる実施例を明確にし、説明することが意図される。
【図面の簡単な説明】
【００６３】
【図１】本発明の実施例による、いくつかのネットワークノードと通信をする本発明の一実施例によるユーザデバイスを表わす。
【図２】本発明の一実施例による、ユーザデバイスにおける方法のフローチャートを表わす。
【図３】本発明の一実施例による、ネットワークノードを表わす。
【図４】本発明の一実施例による、ネットワークノードにおける方法のフローチャートを表わす。
【図５】本発明の実施例を含む無線通信システムを表わす。
【図６】本発明の一実施例による、ユーザデバイスとネットワークノードとの間の通信手順を例示する。
【発明を実施するための形態】
【００６４】
LTEにおいて、UEは無線資源制御(RRC)接続状態を確立させるために、同期およびランダムアクセス(RA)手順を行う。しかし、将来のモバイルアプリケーションは、ますます多くの接続性および小さい時々のデータの塊を必要としている。同期させること、無線ネットワーク一時識別子(RNTI)を得ること、および、少ないビットの時々のデータを送信するために割り振られた資源を得ることは、極めて遅く、かつ、資源を消費するプロセスである。
【００６５】
この技術分野における従来の解決策を改善するために、本発明の実施例はユーザデバイスおよびネットワークノードに関する。本発明の実施例を用いて、たとえば、RRC接続モードおよびRRCアイドルモードの両方において、競合ベースのデータ送信が可能にされる。競合ベースのデータ送信のための新しい共通データチャネルは、ここでは競合ベースの送信チャネルとも呼ばれるように定義される。
【００６６】
競合ベースの送信チャネルは、無線通信ネットワークの複数のネットワークノードに対して有効な、ここでの割り当てられたRNTIに関連付けられた共通データチャネルと同等である。さらに、競合ベースの送信は、共通データチャネル上でここでの割り当てられたRNTIを使用した送信を意味する。
【００６７】
図1は、本発明の一実施例によるユーザデバイス100を表わす。ユーザデバイス100は、無線通信ネットワーク500から、割り当てられたRNTを受信するように構成された送受信機101を備える。割り当てられたRNTIは、無線通信ネットワーク500の複数のネットワークノード300a、300b、… 、300nに対して有効である。割り当てられたRNTIは、無線通信ネットワーク500の共通データチャネルにさらに関連付けられている。送受信機101は、割り当てられたRNTIを使用して、共通データチャネル上で無線通信ネットワーク500にデータを送信し、または、無線通信ネットワーク500からデータを受信するようにさらに構成される。したがって、競合ベースの送信を使用する前に、ユーザデバイス100は、割り当てられたRNTIを無線通信ネットワーク500から入手し、そして、この割り当てられたRNTIは、共通データチャネルにおいて競合ベースの(スケジューリングされない)送信のために使用される。RNTIは、ネットワークノードのあるクラスタ(またはセット)において、かつ共通データチャネルでの使用のために、ユーザデバイスにユニークに割り当てられる。言い換えると、ネットワークノードの異なるクラスタまたはセットにおいて(たとえば、異なる地理的地域において)、同一のRNTIは、同一の共通データチャネルにおける使用のために、異なるユーザデバイスに割り当てられ得る。さらに、別の実施例によれば、同一のRNTIが、同一のネットワークノードにおいて、しかし異なる共通データチャネルにおける使用のために、2つ以上の異なるユーザデバイスに割り当てられることさえあり得る。それにより、RNTIと送信のために使用される共通データチャネルの組み合わせによって、ユーザデバイスが明確に識別され得ることが保証され得る。
【００６８】
ユーザデバイス100は、無線通信ネットワーク500との接続確立手順の間に、割り当てられたRNTIを受け取るように構成され得る。追加的に、または、代替的に、ユーザデバイス100は、(たとえば、ユーザデバイスが無線通信ネットワークに(たとえば、ネットワークノード300a、300b、… 、300nに)共通の共有チャネルを使用して通信することを望むことを示したとき)接続解放の間に、割り当てられたRNTIを受信するように構成され得る。ネットワークノード300a、300b、… 、300nは、それに応じて構成され得る。
【００６９】
本発明の一実施例において、ユーザデバイス100は、図1に表わされたように専用バッファ103をさらに備える。バッファ103は、送受信機101に通信可能に結合され、送受信機101は、割り当てられたRNTIを使用して、共通データチャネル上で送信する前にデータを記憶するために、専用バッファ103を使用するようにさらに構成される。接続モードで送信されるデータは、ユーザデバイス100の別個のバッファに記憶され得る。
【００７０】
したがって、ユーザデバイス100は、緊急でないデータパケットが通常のデータパケットから区別されるように、競合ベースのデータ送信のために別個のアップリンク(UL)バッファを有することができる。競合ベースの送信のためのデータパケットは、無線通信ネットワーク500からの競合ベースの送信許可を使用して送信されることが可能であり、ユーザデバイス100は、専用バッファ103内のデータパケットのために、スケジューリング要求/バッファ状態レポート(SR/BSR)などを使用しないであろう。しかし、ユーザデバイス100は、(たとえば、共通データチャネルが過負荷であるので)競合ベースの無線資源を使用することに繰り返し失敗するならば、低い優先順位のデータパケットを従来のULバッファに移すことができる。これに関して、媒体アクセス制御(MAC)レベルのタイマおよび/またはカウンタが利用され得る。ユーザデバイス100のために、競合ベースの送信とスケジューリングされた送信との間で選択することは、エネルギー効率と性能との間のトレードオフであり、これはユーザデバイス100における内部ポリシーによって管理され得る。
【００７１】
無線通信ネットワーク500はまた、ユーザデバイス100が競合ベースの送信(またはアクセス)を使用してデータパケットを送信することが許される速度を制限する送信パラメータをユーザデバイス100にシグナリングし得る。これは、ブロードキャストチャネル上でシグナリングされるセル全域のポリシーとして、または、たとえばRRCシグナリングにおいて特定のユーザデバイス100に直接に、行われ得る。たとえば、無線通信ネットワーク500が、競合ベースの送信チャネル(すなわち、共通データチャネル)上の輻輳を認識したならば、無線通信ネットワーク500は、ユーザデバイス100が競合ベースのチャネルの無線資源を使用し始めた後に、再試行または時間期間に対するユーザデバイスの積極性を調節することができる。たとえば、n回の不成功の試行の後で、ユーザデバイス100は代わりにスケジューリングされた無線資源を要求することができ、これは以下の開示でより詳細に説明される。値nは、無線通信ネットワーク500により、たとえば制御シグナリングまたはRRCパラメータを用いて動的に調節され得る。再試行および新しいデータの送信間隔の積極性は、競合ベースチャネル上でユーザデバイスの積極性を制御できる、たとえば競合バックオフ・コマンドによって制御され得る。それは、競合ベースのチャネル上の現在の輻輳状態に従って、単一のバックオフ・コマンドを与える、または、ランダムに選択されたバックオフ・タイマ値の空間を調節することができる。
【００７２】
さらに、図2は本発明の一実施例によるユーザデバイス100における方法のフローチャートを表わす。ユーザデバイス100における方法は、無線通信ネットワーク500の複数のネットワークノード300a、300b、… 、300nに対して有効であり、無線通信ネットワーク500の共通データチャネルに関連付けられた、割り当てられたRNTIを無線通信ネットワーク500から受信すること201を含む。この方法は、割り当てられたRNTIを使用して共通データチャネル上で無線通信ネットワーク500にデータを送信すること203、または、無線通信ネットワーク500からデータを受信すること205をさらに含む。
【００７３】
図3は本発明の一実施例によるネットワークノード300を表わす。ネットワークノード300は、送受信機301およびプロセッサ303を備える。プロセッサ303は、RNTIをユーザデバイス100(図3には表わさない)に割り当てるように構成され、割り当てられたRNTIは、無線通信ネットワーク500の複数のネットワークノード300a、300b、… 、300nに対して有効であり、無線通信ネットワーク500の共通データチャネルに関連付けられる。ネットワークノード300の送受信機301は、割り当てられたRNTIをユーザデバイス100に送信するように構成される。送受信機301は、ユーザデバイス100を識別するために、割り当てられたRNTIを使用して共通データチャネル上でユーザデバイス100にデータを送信し、または、ユーザデバイス100からデータを受信するようにさらに構成されている。
【００７４】
図4は本発明の一実施例によるネットワークノードにおける方法のフローチャートを表わす。この方法は、無線通信ネットワーク500の複数のネットワークノード300a、300b、… 、300nに対して有効であり、無線通信ネットワーク500の共通データチャネルに関連付けられたRNTIをユーザデバイス100に割り当てること401を含む。この方法は、ユーザデバイス100を識別するために、割り当てられたRNTIを使用して共通データチャネル上でユーザデバイス100にデータを送信すること403、または、ユーザデバイス100からデータを受信すること405をさらに含む。
【００７５】
図5は本発明の実施例を含む無線通信システム600を表わす。図5には、ユーザデバイス100および2つのネットワークノード300a、300bが表わされている。無線通信ネットワーク500の第1のネットワークノード300aは、割り当てられたRNTIをユーザデバイス100に送信する。割り当てられたRNTIは、複数のネットワークノードに対して、かつ、この例ではネットワークノード300a、300bに対して有効である。ユーザデバイス100は、割り当てられたRNTIを受信し、割り当てられたRNTIを使用して共通データチャネル上で、無線通信ネットワーク500にデータを送信し、かつ/または、無線通信ネットワーク500からデータを受信する。第1のネットワークノード300a、および/または、第2のネットワークノード300bは、割り当てられたRNTIを使用して共通データチャネル上でユーザデバイス100にデータを送信し、かつ/または、ユーザデバイス100からデータを受信することができる。それは、割り当てられたRNTIをユーザデバイス100に送信し、またユーザデバイス100と通信する同じネットワークノードであり得る。しかし、1つのネットワークノード(たとえば、図5におけるネットワークノード300a)が、割り当てられたRNTIを送信し、別のネットワークノード(たとえば、図5におけるネットワークノード300b)が、ユーザデバイス100と通信することも可能である。したがって、無線通信ネットワーク500のネットワークノード300a、300bは、RNTIが無線通信ネットワーク500の複数のネットワークノードに対して有効であることを達成するために、割り当てられたRNTIを交換するように構成される。
【００７６】
競合ベースの送信を行うユーザデバイス100を識別する課題は、ユーザデバイス100が、競合ベースの送信のために、割り当てられたRNTIを使用することができるように、拡張された期間についてのネットワークノード300における割り当てられたRNTIの割り振りおよび維持管理によって解決され得る。(競合ベースのチャネルを使用する許可を有する)そのような割り当てられたRNTIを割り振られたユーザデバイスの数を管理することにより、ネットワークノード300は、無線通信ネットワーク500の過負荷のために性能が低下することを避けることができる。
【００７７】
本発明の一実施例において、ユーザデバイス100の送受信機101は、無線通信ネットワーク500から無線資源メッセージを受信するようにさらに構成される。無線資源メッセージは、ユーザデバイス100によって使用される共通データチャネルの特定の時間周波数無線資源、すなわち、特定のユーザデバイスまたは一群のユーザデバイスのための物理無線資源を割り振り、または許可するためのメッセージを示す。ユーザデバイス100の送受信機101は、示された特定の時間周波数無線資源上で、無線通信ネットワーク500にデータを送信し、または、無線通信ネットワーク500からデータを受信するようにさらに構成される。
【００７８】
本発明の一実施例において、ユーザデバイス100の送受信機101は、無線資源要求メッセージを無線通信ネットワーク500に送信するようにさらに構成される。無線資源要求メッセージは、要求された無線資源を示す。送受信機101は、無線資源要求メッセージを送信したことに応答して、上記の無線資源メッセージを無線通信ネットワーク500から受信するようにさらに構成される。無線資源要求メッセージを使用することにより、競合ベースの送信のために使用される無線資源の識別が、ユーザデバイス100によって可能となる。
【００７９】
本発明の一実施例において、ネットワークノード300の送受信機301は、無線資源メッセージをユーザデバイス100に送信するように構成される。本発明の一実施例において、ネットワークノード300の送受信機301は、無線資源要求メッセージの上記のユーザデバイス100からの受信に応答して、無線資源メッセージをユーザデバイス100に送信するようにさらに構成される。
【００８０】
無線資源メッセージは、無線通信ネットワーク500によりいくつかの異なるやり方で送信(シグナリング)され得る。本発明の、実施例によれば、
・  無線資源メッセージは、半永続的なスケジューリング(SPS)許可を介してユーザデバイス100に送信され得る。たとえば、RRC接続モードで使用されたシグナリングを再利用して、SPS許可は競合ベースのデータ送信のための資源を定義するために使用されることが可能であり、それにより、ユーザデバイス100はスケジューリング要求(SR)を送信する必要がなく、時々の少ない送信のための割り振りを受信するであろう。たとえば、ダウンリンク制御情報(DCI)フォーマットから入手される無効な資源指示値(RIV)がある。これらの現在無効なRIVの値は、正常なSPSの許可を競合ベースの許可から分離するために使用され得る。加えて、たとえば、DCIフォーマット0における送信電力制御(TPC)コマンド、変調、および、符号化方式の値は、これらの固定値が送信のために利用されるので、利用されることが可能である。ユーザデバイス100が、競合ベースのSPS割り振りをいったん受けると、ユーザデバイス100は、永続的に割り振られた機会においてデータを送信することを試み、失敗した場合には、使用された物理資源ブロック(PRB)セットを変更し、おそらく、さらなる衝突を避けるために、ある予測した、または、ランダムなバックオフ時間が経過するまで待つことができる。
・  無線資源メッセージは、無線通信ネットワーク500の共通RNTIを用いてスクランブルされた分散アップリンク許可CRCパリティビットを使用することによって送信され得る。この手法において、ネットワークノード100は、「使い残しの」資源からアップリンク許可を作成し、未使用のRNTI値の空間(たとえば、CB-RNTI(競合ベースのRNTI))==FFFC(LTEにおけるどの特定のRNTIにも現在割り振られていない16ビットの16進数)からの、共通の静的競合ベースのRNTI値を用いてCRCパリティビットをスクランブルする。それらの無線資源は、そして、競合ベースのデータ送信のための時間において、物理的ダウンリンク制御チャネル(PDCCH)を監視するすべてのユーザデバイス100のために使用可能であり得る。ユーザデバイス100が正確なRNTI値を知らないならば、ユーザデバイス100は許可を復号化することができない。
【００８１】
本発明の一実施例において、ユーザデバイス100の送受信機101は、送信モードメッセージを無線通信ネットワーク500に送信するようにさらに構成される。送信モードメッセージは、ユーザデバイス100が、割り当てられたRNTIを使用して共通データチャネル上で、無線通信ネットワーク500にデータを送信し、または、無線通信ネットワーク500からデータを受信することを要求することを示す。送信モードメッセージは、ユーザデバイス100が競合ベースの送信モードを使用することを要求することを可能にする。無線通信ネットワークは、ユーザデバイスからのこの要求に従ってもよく、または、たとえば、競合ベースの資源が不十分であるならば、ユーザデバイス100のために異なるモードを使用することを決定してもよい。しかし、この送信モードメッセージは、現在の無線通信ネットワークでは使用可能でない選択について無線通信ネットワークに知らせる可能性をユーザデバイスに与える。
【００８２】
本発明の一実施例において、ユーザデバイス100の送受信機101は、RNTI制御メッセージを無線通信ネットワーク500から受信するようにさらに構成される。したがって、ネットワークノードの送受信機301は、RNTI制御メッセージをユーザデバイス100に送信するようにさらに構成される。
【００８３】
受信されたRNTI制御メッセージは、割り当てられたRNTIを維持管理し、割り当てられたRNTIを更新し、および、割り当てられたRNTIを解放することを含む群の中の1つまたは複数の命令を示す。送受信機101は、受信されたRNTI制御メッセージの指示に従って、割り当てられたRNTIを維持管理し、更新し、または解放するようにさらに構成される。それにより、無線通信ネットワーク500は、ネットワークノードを介して、ユーザデバイス100によって割り当てられたRNTIの使用を制御することができる。無線通信ネットワークは、別のユーザデバイスのためにRNTIを再利用するために、または、競合ベースの送信モードにおいてユーザデバイスの数を減少させるために、ユーザデバイスにRNTIを解放するように命令し得る。割り当てられたRNTIはまた、限られた時間について有効であり、その時間が満了したとき更新される必要があり得る。これはタイマを使用して実装されることが可能であり、これは、タイマが満了する前に何らかの制御メッセージが到着しない限り、RNTIを無効にする。RNTI割り当てのために限られた有効時間を有することは、ユーザデバイスが予期せずに通信システムから消えたならば、RNTIがロックされることを防ぐ。
【００８４】
さらに、ここでの競合ベースの送信によって(割り当てられたRNTIおよび共通データチャネルを使用すること)、ユーザデバイス100は、無線通信ネットワーク500に接続されていないときも、無線通信ネットワーク500と通信することができる。これは、競合が解放されたとき、ユーザデバイス100のために割り当てられたRNTIを維持管理することによって達成され得る。
【００８５】
LTEのような現在のシステムにおいて、スクランブルするためのユーザデバイスに特有のC-RNTI値は、RRC接続状態においてのみ使用され得る。しかし、本発明の実施例は、ここでの割り当てられたRNTI(複数のネットワークノードのための、かつ、共通データチャネルに関連付けられた)は、eNB(ネットワークノード)が、ユーザデバイス100へのRRC接続を解放した後で競合ベースのデータ送信のために利用され得るというアイデアに基づく。
【００８６】
割り当てられたRNTIは、限られた長さ(たとえば、16ビット長)を有し得るので、RNTIを割り当てられたユーザデバイスの数は限られるべきである。接続解放後に、競合ベースの送信のために割り当てられたRNTIを使用するための許可は、たとえば、RRC接続解放メッセージにおいてユーザデバイス100にシグナリングされ得る。したがって、割り当てられたRNTIを入手し、LTEシステムにおいてその割り当てられたRNTIを使用する手順は、図6を参照して以下のように進み得る。
・  F1、ユーザデバイス100によるネットワークノード300への最初の同期。
・  F2、マスタ情報ブロック/システム情報ブロック(MIB/SIB)復号化、および、割り当てられたRNTIを入手するための最初のランダムアクセス手順。
・  F3、RRC接続セットアップ、RRC接続の確立、および、ユーザデバイス100とネットワークノード300(接続モードにおける)との間の可能なデータの交換。
・  F4、RRC接続解放、しかし、割り当てられたRNTIはユーザデバイス100に割り当てられたままである。
・  F5、ユーザデバイスは、非接続モードにおいて、割り当てられたRNTIを使用して、共通データチャネル上でデータを送信し、かつ/または、データを受信する。
【００８７】
ユーザデバイス100は、タイミングの向上を有しないことがあることを考慮に入れるべきであり、そのため、競合ベースのデータのためのULタイミングは、きつ過ぎてはいけなく、そのため、保護期間はセルの半径を用いて整列され得る。
【００８８】
加えて、割り当てられたRNTI値がRAを通してその後に更新されるべき、非アクティブ化タイマがあり得る。これは、ネットワークノード300が、割り当てられたRNTI値がいつ再利用され得るのか知らないかもしれないためである。別の可能性は、ネットワークノード300が、上で説明してきた割り当てられたRNTIを更新しなければならないときに、ユーザデバイス100にシグナリングすることである。ネットワークノード300は、そして、ユーザデバイス100が割り当てられたRNTIを使用することができる時間を不必要に制限することなく、新しいユーザデバイスのための使用可能な識別子を常に有するように、RNTIアドレスプールを効率的に管理することができる。
【００８９】
ユーザデバイス100への時々のDLデータ送信のために、ユーザデバイス100は、ページングのためにともかくリスンするとき、物理的DL制御チャネル(たとえば、PDCCH)を時折監視することができるであろう。ULのための資源が割り当てられるのと同じやり方で、監視されるDL資源を割り当て、それにより、DLシグナリングのためにもULシグナリングにおいて使用される割り当てられたRNTIを再利用することも可能である。
【００９０】
ユーザデバイス100が、RRC競合状態において(RRC接続の解放後)有効な割り当てられたRNTIを有するならば、いくつかの定義されたDRXサイクルを利用する、または、ページングサイクルを利用するDLデータ送信は課題であるべきではない。RRCアイドルモードの間のこの定義された監視サイクルはまた、割り当てられたRNTIが取り消される、または、更新されなければならないならば、ユーザデバイス100にシグナリングするためにネットワークノード300によって使用され得る。これは、ネットワークノード300が、共通データチャネル上の過負荷を避けるために、いくつかのユーザデバイスのための競合ベースの送信の承認を取り消すことを可能とするであろう。これは、競合ベースの送信のスループットを低下させることを引き起こすことが知られている。
【００９１】
競合ベースのデータ送信のためのUL電力制御は、物理的アップリンク共有チャネル(PUSCH)のためのものとまったく同様に設定されることが可能であり、すなわち、使用された無線資源および経路損失の量は、ネットワーク構成電力制御パラメータの中で考慮され得る。
【００９２】
競合ベースの送信モードにおいてデータ送信を可能にするために、前述の送信モードメッセージを詳述することが有益であろう。ユーザデバイス100から無線通信ネットワーク500への送信モードメッセージは、ユーザデバイス100が、割り当てられたRNTIを使用して共通データチャネル上で無線通信ネットワーク500にデータを送信し、または、無線通信ネットワーク500からデータを受信することを要求することを示し得る。
【００９３】
送信モードメッセージはまた、RRC接続解放についてユーザデバイス100からネットワークノード300への、ユーザデバイス100が競合ベースモードに留まることを欲していることを示す解放メッセージを含み得る。そして、ユーザデバイス100は、RRC接続を(解放メッセージを用いて)解放し、時々の少ないデータトラフィックのための競合ベースのデータ送信のみを使用することができ、または、RRC接続は、共通データチャネルが特定のユーザデバイス100のためにより良いと考えられるならば、ネットワークノード300によって解放され得る。またこの場合、ネットワークノード300は、ユーザデバイス100が競合ベースの送信を使用するように要求する解放メッセージ(すでにRNTIを含む)をユーザデバイス100に送信するであろう。
【００９４】
上述したように、3GPP TR 36.331において、RRC接続解放メッセージは、ユーザデバイス100は競合ベースの送信モードに留まることを示す新しい解放メッセージを用いて拡張され得る。加えて、競合ベースの送信に使用するための無線資源についての情報を含む新しい情報要素は、競合ベースの送信が許されるネットワークノード(またはセル)のリストと共に含まれ得る。
【００９５】
最も単純な場合、競合ベースの送信のために使用される無線資源は、静的に割り振られ、システム情報においてブロードキャストされるか、または、ユーザデバイス100が競合ベースの送信モードに入ることに導くRRC接続解放の間に、ユーザデバイス100に示され得る。
【００９６】
専用のRRCシグナリングにより、ネットワークノード300は、衝突を避けるために、別個の無線資源、たとえば、搬送波、副搬送波またはタイムスロットを異なるユーザデバイスまたはユーザデバイスの群のために割り当てることができる。1つのユーザデバイスによって使用される資源は、そのユーザデバイスが属する群の暗黙の識別情報を与えるので、ユーザデバイスの群のそのような分離はまた、割り当てられたRNTIの異なるグループにわたる再利用を可能にする。
【００９７】
これらの無線資源の割り当ては明示的に(たとえば、時間、周波数、アンテナポートなど)なされるか、または、2ステップの手法で行うことができ、ここで、ユーザデバイス100がある共通データチャネルに割り当てられ、この共通データチャネルのための物理的無線資源が別個にシグナリングされる。1つの例として、ユーザデバイス100は、競合ベースのチャネル番号4を使用するために割り当てられることが可能であり、ここで無線通信ネットワーク500は、別個のステップにおいてこの共通データチャネルによって使用される物理的無線資源を定義する(たとえば、どのタイムスロットでこの共通データチャネルが送信されるか)。後者は、隣接したネットワークノードが、同一の共通データチャネルのために異なる物理的無線資源を使用することを可能にするであろう。これは、割り当てられたRNTIが、複数のネットワークノードにおいて(しかし、異なる物理的資源において)同一の共通データチャネルに対して有効である場合に有益であり得る。
【００９８】
ユーザデバイス100は、ランダムPRB選択、バックオフ・タイマなどのような、いくつかの検知機構を利用することによって衝突を避けることを試みることができる。あるユーザデバイス100が、共通データチャネルを介して低い優先順位のパケットを入手できないならば、ユーザデバイス100はRRC接続モードに戻り、専用のアップリンク無線資源を要求することができる。
【００９９】
本発明によるここでのユーザデバイス100の実施例は、LTEシステムにおけるUEのような、無線通信ネットワークと通信をする機能を有する、任意の無線通信デバイスであり得る。ユーザデバイス100は、たとえば、ラップトップ、携帯電話、タブレットコンピュータ、スマートフォンなどとすることができる。
【０１００】
本発明によるネットワークノード300の実施例は、ネットワーク制御ノードまたは無線通信ネットワークのネットワークノードであり得るが、無線通信システム600のコアネットワークの一部とするもできる。ネットワーク制御ノードは、たとえば、無線アクセスネットワークにおけるノードB、または、LTEシステムにおける運用管理メンテナンス(OAM)ノード、移動管理エンティティ(MME)、または無線制御ノードのようなコアネットワークにおける論理ノードとすることができる。
【０１０１】
本発明の実施例のいくつかの態様が以下にまとめられる。
【０１０２】
いくつかの実施例は、1つまたは複数のユーザデバイスにサービス提供する複数のセルを有する無線通信システム600を提供する。一例として、各セルは、基地局(ネットワークノード300のような)によって制御され得る。セル内で使用可能な資源は、物理的資源のセット(副搬送波または搬送波のような)に分割され得る。各セル内の前記物理的資源の一部は、(割り当てられたRNTIおよび共通データチャネルを使用して)競合ベースの通信のために使用され、一部は競合のない通信のために使用される。無線通信システム600内の前記セルは、セルのクラスタに分割されることが可能であり、各クラスタは、無線通信システム600内のすべてのセルのサブセットである。
【０１０３】
一実施例によれば、ネットワークノードは識別情報(RNTI)をユーザデバイスに割り当て、この識別情報は、セルの前記クラスタの1つにおいて有効でユニークであり、一群の資源において、競合ベースの通信のために使用される前記資源のサブセットである。
【０１０４】
さらなる実施例によれば、このRNTIは、競合ベースの通信のための前記資源を使用して、異なるユーザデバイスを区別するためにネットワークノード300a、300b、… 、300nによって使用される。
【０１０５】
さらなる実施例によれば、割り当ては、前記識別情報(RNTI)の有効性についての情報を含む。
【０１０６】
さらなる実施例によれば、有効性についての前記情報は、セルの前記クラスタ、競合ベースの通信のために使用される前記資源のサブセットである資源の群、時間、および、地理的区域のうちの少なくとも1つを指定する
【０１０７】
さらなる実施例によれば、セルの前記クラスタ内のセルにサービス提供する前記ネットワークノード300a、300b、… 、300nは、1つのユーザデバイスのみが、共通データチャネルにおける使用のための同一の前記ユニークな識別情報を割り当てられることを保証するために情報を交換する。
【０１０８】
さらなる実施例によれば、ネットワークノード300a、300b、… 、300nは、資源の前記群から前記物理的資源の対応するセットにマッピングする情報をブロードキャストする。
【０１０９】
さらなる実施例によれば、前記識別情報(RNTI)が、メッセージ内でネットワークノード300からユーザデバイス100にシグナリングされる。
【０１１０】
さらなる実施例によれば、前記メッセージは、前記ユーザデバイス100のために予約された専用資源を解放するメッセージである。
【０１１１】
さらに、本発明による任意の方法が、プログラムコードを有するコンピュータプログラムにおいて実装されることが可能であり、これは、処理手段によって走らされるとき、処理手段にその方法のステップを実行させる。コンピュータプログラムは、コンピュータプログラム製品のコンピュータ読み取り可能な媒体に記憶される。コンピュータ読み取り可能な媒体は、ROM(読み出し専用メモリ)、PROM(プログラマブル読み出し専用メモリ)、EPROM(消去可能PROM)、フラッシュメモリ、EEPROM(電気的消去可能PROM)、または、ハードディスクドライブのような本質的に任意のメモリを含み得る。
【０１１２】
さらに、ここでのデバイス、ネットワークノードデバイス、および、ユーザデバイスは、ここでの解決策を行うための、たとえば、機能、手段、ユニット、要素などの形式における必要な通信機能を含むことが当業者によって理解される。他のそのような手段、ユニット、要素および機能の例は、プロセッサ、メモリ、バッファ、制御ロジック、符号化器、復号化器、レート整合器、デレート整合器、マッピングユニット、乗算器、決定ユニット、選択ユニット、スイッチ、インターリーバ、デインターリーバ、変調器、復調器、入力、出力、アンテナ、増幅器、受信機ユニット、送信機ユニット、DSP、MSD、TCM符号化器、TCM復号化器、電源ユニット、給電器、通信インタフェース、通信プロトコルなどがあり、これらはここでの解決策を行うために、共に適切に配置される。
【０１１３】
特に、ここでの送信機デバイスのプロセッサは、たとえば、中央処理ユニット(CPU)の1つまたは複数のインスタンス、処理ユニット、処理回路、プロセッサ、特定用途向け集積回路(ASIC)、マイクロプロセッサ、処理手段、または、命令を解釈して実行し得る他の処理ロジックを含み得る。従って、表現「プロセッサ」は、たとえば、上述したもののうちの任意の一部またはすべてのような複数の処理回路を含む処理回路を表現し得る。処理回路はさらに、入力、出力およびデータバッファリングを含むデータの処理のためのデータ処理機能、ならびに、呼処理制御、ユーザインタフェース制御などのようなデバイス制御機能を行い得る。
【０１１４】
最後に、本発明は、上記の実施例に限定されず、添付の独立請求項の範囲内のすべての実施例に関連し、かつ、すべての実施例を包含することが理解されるべきである。
【符号の説明】
【０１１５】
100  ユーザデバイス
101  送受信機
103  バッファ
300  ネットワークノード
301  送受信機
300a  ネットワークノード
300b  ネットワークノード
300n  ネットワークノード
303  プロセッサ
500  無線通信ネットワーク
600  無線通信システム
【図１】
0006319825.tif 000002
【図２】
0006319825.tif 000003
【図３】
0006319825.tif 000004
【図４】
0006319825.tif 000005
【図５】
0006319825.tif 000006
【図６】
0006319825.tif 000007